(57)【要約】【課題】トナーカートリッジの再生作業が容易で資源の再利用に効果を発揮する。【解決手段】トナー排出口封止部材１は、トナー排出口の外形に対応する開口部１１を備える枠体１０と、枠体１０の裏面と同一形状の剥離紙２０と、枠体１０の一端（右端）１３から他端（左端）１４まで達したところで折り返されて右端を越える長さを有する帯状シール部材３０と、帯状シール部材３０を挿通させることのできるスリット４１を有するガイド部材４０とから構成される。枠体１０は、表面１５及び裏面１６に粘着剤層を備え、ガイド部材４０がスリット４１を外へはみ出す様に貼り付けられる。帯状シール部材３０は、二つ折りされた状態で枠体１０の表面１２に取り付けられ、先端部３３をガイド部材４０のスリット４１に対して表面側から裏面側へと挿通させ、折り返し部３２から先の部分がフラットに伸びた状態に引っ張っておく。【選択図】  図１
2016020998.tif 000002
【特許請求の範囲】
【請求項１】
トナーカートリッジのトナー排出口を開封可能に封止するための封止構造であって、以下の構成を採用したことを特徴とするトナー排出口封止構造。
（１１）前記トナー排出口に対応する開口部を有する枠体を、当該カートリッジ本体の外面に沿う方向の力では剥がれず、当該カートリッジ本体の外面から引き離す方向の力で剥がすことが可能となる様に、前記トナー排出口の周囲を取り囲む様に貼り付けたこと。
（１２）前記枠体の一端から他端まで達すると共に、さらに、当該他端で折り返されて前記一端を越える位置まで達する長さを有する帯状シール部材が、前記カートリッジ本体の外面に沿う方向に引っ張る力を加えることで引き剥がし可能となる様に、前記枠体の開口部を塞ぐ様に貼り付けられていること。
（１３）前記帯状シール部材を挿通させることのできるスリットを有するガイド部材が、前記枠体の前記一端側において前記スリットを前記枠体の外へはみ出させる様に取り付けられていること。
（１４）前記枠体の他端で折り返された前記帯状シール部材の先端部が、前記ガイド部材の前記スリットを介して、当該ガイド部材の表面側から裏面側へと挿通されていること。
【請求項２】
トナーカートリッジのトナー排出口を開封可能に封止するための封止部材であって、以下の構成を採用したことを特徴とするトナー排出口封止部材。
（２１）前記トナー排出口の周囲を取り囲むと共に、該トナー排出口に対応する開口部を有し、表面及び裏面に粘着剤層を備えた枠体を備えていること。
（２２）前記枠体の裏面側の粘着剤層を保護する様に取り付けられた剥離紙を備えていること。
（２３）前記枠体の表面側の粘着剤層を介して貼り付けられ、当該枠体の一端から他端まで達すると共に、さらに、当該他端で折り返されて前記一端を越える位置まで達する長さを有る帯状シール部材で、前記枠体の開口部を塞いであること。
（２４）前記帯状シール部材を挿通させることのできるスリットを有するガイド部材が、前記枠体の前記一端側において前記スリットを当該枠体の外へはみ出させる様に取り付けられていること。
（２５）前記枠体の他端で折り返された前記帯状シール部材の先端部が、前記ガイド部材の前記スリットを介して、当該ガイド部材の表面側から裏面側へと挿通されていること。
【請求項３】
さらに、以下の構成をも備えていることを特徴とする請求項２に記載のトナー排出口封止部材。
（３１）前記帯状シール部材は、全体にほぼ一定の幅で前記先端部が先細とされていること。
（３２）前記ガイド部材の前記スリットは、前記帯状シール部材のほぼ一定の幅の部分に対して公差の範囲内で同一長さを有すると共に、長さ方向中程に前記折り返し部に向かって突出する舌片を形成する様に平面視において湾曲、屈曲又は折曲した部分を備えていること。
【請求項４】
さらに、以下の構成をも備えていることを特徴とする請求項２又は３に記載のトナー排出口封止部材。
（４１）前記ガイド部材の前記スリットは、両端に前記帯状シール部材の前記ほぼ一定の幅の部分よりも狭くなる方向に伸びる鉤状部を備えていること。
【請求項５】
さらに、以下の構成をも備えていることを特徴とする請求項２〜４のいずれかに記載のトナー排出口封止部材。
（５１）前記枠体は、前記開口部に所定間隔で配置された複数の仕切枠を備えていること。
【請求項６】
さらに、以下の構成をも備えていることを特徴とする請求項２〜５のいずれかに記載のトナー排出口封止部材。
（６１）前記帯状シール部材は透明又は半透明の素材で形成されていること。
【発明の詳細な説明】
【技術分野】
【０００１】
本発明は、プリンタ，コピー機，ファクシミリなどに使用されるトナーカートリッジのトナー排出口を開封可能に封止するための技術に関する。
【背景技術】
【０００２】
従来、図７（Ａ）〜（Ｄ）に示す様に、トナー排出口をフィルム状のシール部材で封止したトナーカートリッジが知られている（特許文献１〜４）。
【０００３】
特許文献１，２，４は、シール部材の折り返し部を手で引っ張って全体を引き剥がすことによりトナー排出口を開封する様に構成されている。特許文献３は折りタブを折ってイージーピールフィルムを引き剥がす開封方法と、引き裂きシール部材を引き裂く開封方法とを提案している。
【先行技術文献】
【特許文献】
【０００４】
【特許文献１】特開平７−２６１５２３（図１）
【特許文献２】特開平７−３２５４８３（図２）
【特許文献３】特開平１１−１６７２５７（図１，図９）
【特許文献４】特開２００３−２４１４９４（図２）
【発明の概要】
【発明が解決しようとする課題】
【０００５】
こうしたトナーカートリッジには再生使用の要望があり、特許文献２は、トナー排出口周囲に複数のリブを多重に形成し、これら複数のリブの一部にシール部材を接着することでトナーカートリッジの再生を行うことを提案している。
【０００６】
特許文献２の技術は、トナーカートリッジ側に工夫を施す必要がある。また、特許文献３の引き裂きシール部材は一部がトナー排出口の周囲に残存することが前提であり、その他のものにおいてもヒートシールされたシール部材の一部が千切れて残存する可能性がある。この様に、従来技術では、汎用性に欠けていたり、シール部材の残骸除去に手間がかかったり、再封自体が困難であるといった問題があった。
【０００７】
そこで、本発明は、トナーカートリッジの再生作業が容易なトナー排出口封止技術を提供することを目的とする。
【課題を解決するための手段】
【０００８】
上記目的を達成するためになされた本発明のトナー排出口封止構造は、トナーカートリッジのトナー排出口を開封可能に封止するための封止構造であって、以下の構成を採用したことを特徴とする。
（１１）前記トナー排出口に対応する開口部を有する枠体を、当該カートリッジ本体の外面に沿う方向の力では剥がれず、当該カートリッジ本体の外面から引き離す方向の力で剥がすことが可能となる様に、前記トナー排出口の周囲を取り囲む様に貼り付けたこと。
（１２）前記枠体の一端から他端まで達すると共に、さらに、当該他端で折り返されて前記一端を越える位置まで達する長さを有する帯状シール部材が、前記カートリッジ本体の外面に沿う方向に引っ張る力を加えることで引き剥がし可能となる様に、前記枠体の開口部を塞ぐ様に貼り付けられていること。
（１３）前記帯状シール部材を挿通させることのできるスリットを有するガイド部材が、前記枠体の前記一端側において前記スリットを前記枠体の外へはみ出させる様に取り付けられていること。
（１４）前記枠体の他端で折り返された前記帯状シール部材の先端部が、前記ガイド部材の前記スリットを介して、当該ガイド部材の表面側から裏面側へと挿通されていること。
【０００９】
本発明のトナー排出口封止構造によれば、トナー排出口が帯状シール部材によって覆われていて、カートリッジ本体に収容されたトナーは、帯状シール部材を引き剥がすまでトナー排出口からこぼれ出ることはない。また、帯状シール部材の先端部はガイド部材のスリットに表面側から裏面側へと挿通されているから、帯状シール部材が不用意に引っ張られて誤って開封されるといったこともない。そして、トナー排出口を開封する際には、ガイド部材の裏面側に出ている帯状シール部材の先端部を引っ張れば、帯状シール部材はガイド部材のスリットにガイドされながら、折り返し部分から順に枠体から剥がす様にしてスリットから抜き取ることができる。この抜き取り操作の際には、ガイド部材のスリットによるガイドがなされるので、帯状シール部材が撚れたりすることなく開封作業を行うことができる。使用後のトナーカートリッジは、ガイド部材を摘んで引っ張り上げることにより、ガイド部材側から徐々に引き剥がれていく。こうして枠体をトナーカートリッジ本体から引き剥がしたら、再びトナーを充填して元の様に封止することにより、トナーカートリッジの再使用が可能となる。枠体の一端からはみ出す様に取り付けられたガイド部材は、開封前の帯状シール部材の組み付け状態を安定させ、開封時には帯状シール部材の抜き取り作業を容易にすると共に、枠体の取り除き作業をも容易にする。
【００１０】
上記目的を達成するためになされた本発明のトナー排出口封止部材は、トナーカートリッジのトナー排出口を開封可能に封止するための封止部材であって、以下の構成を採用したことを特徴とする。
（２１）前記トナー排出口の周囲を取り囲むと共に、該トナー排出口に対応する開口部を有し、表面及び裏面に粘着剤層を備えた枠体を備えていること。
（２２）前記枠体の裏面側の粘着剤層を保護する様に取り付けられた剥離紙を備えていること。
（２３）前記枠体の表面側の粘着剤層を介して貼り付けられ、当該枠体の一端から他端まで達すると共に、さらに、当該他端で折り返されて前記一端を越える位置まで達する長さを有る帯状シール部材で、前記枠体の開口部を塞いであること。
（２４）前記帯状シール部材を挿通させることのできるスリットを有するガイド部材が、前記枠体の前記一端側において前記スリットを当該枠体の外へはみ出させる様に取り付けられていること。
（２５）前記枠体の他端で折り返された前記帯状シール部材の先端部が、前記ガイド部材の前記スリットを介して、当該ガイド部材の表面側から裏面側へと挿通されていること。
【００１１】
本発明のトナー排出口封止部材によれば、トナー排出口を封止する際には、まず、剥離紙を剥がして枠体の裏面側の粘着剤層を露出させる。このとき、枠体からはみ出す様に取り付けられたガイド部材は、これを摘むことで剥離紙を剥がす作業をやり易くする作用も発揮する。次に、トナー排出口の周囲を枠体が取り囲む様に、この裏面側の粘着剤層をトナーカートリッジ本体の外面に押し付けて枠体を貼り付ける。これにより、本発明のトナー排出口封止構造を完成させることができる。以下、本発明のトナー排出口封止構造を備えさせたトナーカートリッジをプリンタ，コピー機，ファクシミリなどの機器に装着し、トナー排出口封止構造について説明した手順でトナー排出口の開封を行うことができる。使用済みのトナーカートリッジについても、トナー排出口封止構造について説明した手順で枠体を取り除き、トナーを再充填した後に、再び上述の様に、本発明のトナー排出口封止部材をトナーカートリッジに取り付ける。
【００１２】
本発明のトナー排出口封止部材は、さらに、以下の構成をも備えるとよい。
（３１）前記帯状シール部材は、全体にほぼ一定の幅で前記先端部が先細とされていること。
（３２）前記ガイド部材の前記スリットは、前記帯状シール部材のほぼ一定の幅の部分に対して公差の範囲内で同一長さを有すると共に、長さ方向中程に前記折り返し部に向かって突出する舌片を形成する様に平面視において湾曲、屈曲又は折曲した部分を備えていること。
【００１３】
かかる構成をも備えさせた本発明のトナー排出口封止部材によれば、封止部材の製造工程において、帯状シール部材の先端部をガイド部材のスリットへと挿通する作業を容易に実施できると共に、舌片が帯状シール部材の表面を押さえるブレーキとなり、スリットに挿通した帯状シール部材がスリットから抜けてしまうのを抑制することができる。また、帯状シール部材が先端部を除いてほぼ一定の幅であり、スリットの幅がこの一定幅の部分と公差の範囲内で同一長さとなっていることも帯状シール部材のスリットからの脱落防止に寄与すると共に、先端部を引っ張ったときにはスリットが帯状シール部材をガイドし、撚れたりすることがく、開封作業を的確に実施させるという作用・効果を発揮する。
【００１４】
本発明のトナー排出口封止部材は、さらに、以下の構成をも備えるとよい。
（４１）前記ガイド部材の前記スリットは、両端に前記帯状シール部材の前記ほぼ一定の幅の部分よりも狭くなる方向に伸びる鉤状部を備えていること。
【００１５】
かかる構成をも採用することにより、スリット長さに関する寸法公差を大きくして挿通や抜き取りを容易にした場合にも、開封前の帯状シール部材の抜けを防止することができるからである。
【００１６】
本発明のトナー排出口封止部材は、さらに、以下の構成をも備えるとよい。
（５１）前記枠体は、前記開口部に所定間隔で配置された複数の仕切枠を備えていること。
【００１７】
枠体に仕切枠を備えさせることで、トナー排出口に対応して細長い開口部を備えることとなる枠体が構造的に安定するからである。なお、トナー排出口側に仕切がある場合は、当該仕切と対応する様に仕切枠を備えさせるとよい。
【００１８】
本発明のトナー排出口封止部材は、さらに、以下の構成をも備えるとよい。
（６１）前記帯状シール部材は透明又は半透明の素材で形成されていること。
【００１９】
剥離紙を剥がしてトナー排出口の周囲へ枠体を貼り付ける際に、トナー排出口を視認して作業をすることができ、的確な位置合わせを容易に実施することができるからである。
【発明の効果】
【００２０】
本発明によれば、トナーカートリッジの再生作業が容易となり、資源の再利用に効果を発揮する。
【図面の簡単な説明】
【００２１】
【図１】実施例１におけるトナー排出口封止部材を示し、（Ａ）は分解斜視図、（Ｂ）〜（Ｄ）は斜視図である。
【図２】実施例１におけるトナー排出口封止部材を示し、（Ａ）は上から背面図、平面図、正面図、底面図、正面図の左右の各側面図を表した六面図、（Ｂ）は要部拡大図、（Ｃ）は要部拡大断面図である。
【図３】実施例１のトナー排出口封止部材による封止、開封、除去の様子を示す斜視図である。
【図４】実施例１のトナー排出口封止部材を用いてトナー排出口を封止したトナーカートリッジと、機器への装着状態を示す斜視図である。
【図５】実施例１で用いるガイド部材と、その変形例を示す平面図である。
【図６】変形例としてのトナー排出口封止部材を示し、（Ａ）は六面図、（Ｂ）は分解斜視図である。
【図７】従来技術の説明図である。
【発明を実施するための形態】
【００２２】
以下に、本発明を実施するための形態を実施例に基づいて説明する。
【実施例１】
【００２３】
実施例１のトナー排出口封止部材１は、図１（Ａ）に示す様に、トナー排出口の外形に対応する開口部１１と、この開口部１１に所定間隔で配置された複数の仕切枠１２，１２，…とを備える枠体１０と、枠体１０の裏面と同一形状に形成された剥離紙２０と、枠体１０の一端（右端）１３から他端（左端）１４まで達すると共に、さらに、当該他端１４で折り返されて一端１３を越える位置まで達する長さを有する帯状シール部材３０と、帯状シール部材３０を挿通させることのできるスリット４１を有するガイド部材４０とから構成される。
【００２４】
枠体１０は、表面１５及び裏面１６に粘着剤層を備える。剥離紙２０は、この裏面１６の粘着剤層を保護する様に貼り付けられる。枠体１０の一端（右端）１３には、表面１５の粘着剤層を利用して、ガイド部材４０の元部４２が貼り付けられる。このとき、ガイド部材４０は、枠体１０の一端１３から、スリット４１が外へはみ出す様に貼り付けられる。
【００２５】
帯状シール部材３０は、このガイド部材４０の元部に末端部３１を載せる様にセットし、枠体１０の一端（右端）１３から他端（左端）１４に向かって枠体１０に沿う様にして当該枠体１０の表面１５の粘着剤層に貼り付けられた後、折り返し部３２を形成する様に枠体１０の他端１４で折り返される。これによって、帯状シール部材３０は、二つ折りされた状態で枠体１０の表面１２に取り付けられる。
【００２６】
そして、図１（Ｂ）に示す様に、二つ折りにされた帯状シール部材３０の先端部３３をガイド部材４０のスリット４１に対して表面側から裏面側へと挿通させつつ引っ張ることにより、図１（Ｃ）に示す様に、折り返し部３２から先の部分がフラットに伸びた状態のトナー排出口封止部材１が形成される。このトナー排出口封止部材１は、図１（Ｄ）に示す様に、多数を重ね合わせて封緘紙５０で封緘して出荷される。
【００２７】
こうして組み立てた状態のトナー排出口封止部材１の六面図を図２（Ａ）に示す。帯状シール部材３０は、透明プラスチック素材で製造され、平面図及び背面図に示す様に、先端部３３を除いてほぼ一定の幅とされ、先端部３３は先細とされ、円弧状先端３３ａを有する形状のものとされている。
【００２８】
トナー排出口シール部材１は、図２（Ｂ），（Ｃ）に示す様に、枠体左端において、枠体１０の表面及び裏面の粘着剤層を介して剥離紙２０、枠体１０及び帯状シール部材３０が貼り合わされると共に、折り返し部３２で折り返された帯状シール部材３０が重ね合わされた状態となる。また、トナー排出口シール部材１は、図２（Ｂ），（Ｃ）に示す様に、枠体右端付近において、枠体１０の表面及び裏面の粘着剤層を介して剥離紙２０、枠体１０及びガイド部材４０が貼り合わせれると共に、ガイド部材４０の元部４２の上に帯状シール部材３０の末端部３１が載せられた状態となる。そして、この帯状シール部材３０は、ガイド部材４０の元部４２よりも左側の部分から先において、枠体１０の表面の粘着剤層に貼り付けられる。また、帯状シール部材３０の先端部３３は、ガイド部材４０のスリット４１に対して表側から裏側へと挿通され、引っ張られてスリット４１の中程に形成された舌片４４で上から押さえつけられた状態に収まる。
【００２９】
次に、このトナー排出口シール部材１を用いて、トナーカートリッジのトナー排出口を封止し、開封し、再生の準備として除去するまでの手順について、図３に基づき説明する。なお、図３（Ａ）のトナーカートリッジ２には、予めトナー排出口３を介してトナーが充填されている。また、トナー排出口３には、仕切３ａが備えられている。トナー排出口封止部材１の枠体１０の仕切枠１２は、トナー排出口３の仕切３ａと対応する様に形成されている。
【００３０】
まず、図３（Ａ）に示す様に、トナー排出口シール部材１から剥離紙２０を剥離する。このとき、ガイド部材４０を片手で摘んで作業することにより、剥離作業を容易に実施することができる。そして、枠体１０の裏面１２をトナー排出口３の周囲のカートリッジ外面に押し付ける様にして貼り付ける。このとき、帯状シール部材３０が透明なので、帯状シール部材３０を介してトナー排出口３及び仕切３ａの位置を視認しながら、枠体１０の位置合わせをすることができる。
【００３１】
こうして封止作業が完了した状態を図３（Ｂ）に示す。開封に際しては、図３（Ｃ）に示す様に、ガイド部材４０の裏側に差し込まれている帯状シール部材３０の先端部３３を指で摘んで真っ直ぐに引っ張る。すると、帯状シール部材３０は、ガイド部材４０のスリット４１にガイドされ、折り返し部から順に枠体１０から剥がされていき、最終的には抜き取られて図３（Ｄ）の開封状態となる。
【００３２】
使い終わったトナーカートリッジ１は、図３（Ｅ）に示す様に、ガイド部材４０を摘んでカートリッジ外面から引き離す方向に引っ張ることにより、枠体１０を右端１３側から順に引き剥がすことができる。ガイド部材４０があることで、この枠体１０の引き剥がし作業を容易に実施することができる。この結果、図３（Ｆ）に示す様に、トナーカートリッジ１は、封止前の状態に戻される。このトナーカートリッジ１にトナーを充填し、上述した封止作業を行うことで、再生がなされる。
【００３３】
なお、実際の開封作業は、図４に示す様に、トナー排出口を封止した状態のトナーカートリッジ２ａ，２ｂを、それぞれの帯状シール部材の先端部３３，３３を機器５のスリット５ａ，５ｂから露出させる様にセットし、このスリット５ａ，５ｂから露出した帯状シール部材の先端部３３を指で摘んで引っ張ることにより、スムーズに実行することができる。なお、トナーカートリッジ２ａは、機器５にセットする前に、ローラ４ａを備えた受け側部材４に組み付けた状態としてから機器５にセットする。
【００３４】
このトナー排出口封止部材１に用いられるガイド部材４０のスリット４１は、図５（Ａ）に示す様に、帯状シール部材３０の一定幅の部分に対して公差の範囲内で同一長さを有する直線部４３の長さ方向中程を、元部４２（枠体１０の左端）に向かって突出する様に曲げられた先端Ｒ取りされた三角形状部４４とすることによって、舌片４５が形成されている。また、スリット４１の直線部４３の両端に、帯状シール部材３０の一定幅の部分よりも狭くなる方向に伸びる鉤状部４６，４６が「右向き内すぼまり」となる様に形成されている。
【００３５】
スリット４１を上述の様に構成したことにより、封止部材製造工程において、帯状シール部材３０の先端部３３をガイド部材４０のスリット４１へと挿通する作業を容易に実施できると共に、舌片４５が帯状シール部材３０の表面を押さえてブレーキとなり、スリット４１に挿通した帯状シール部材３０がスリット４１から抜けてしまうのを抑制することができる。また、スリット４１の直線部４３の両端に内すぼまりの鉤状部４６，４６を形成したことにより、直線部４３の全幅の寸法公差を大きめにすることができる。
【００３６】
なお、図５（Ｂ）に示す様に、三角形状部４４に代えて、１／２長円形状部４４ｂによる舌片４５ｂを形成したガイド部材４０ｂによっても、帯状シール部材３０の差し込みを容易にしつつブレーキ機能を発揮させることができる。
【００３７】
また、図５（Ｃ）に示す様に、舌片４５をなくして溝幅を広くしたスリット４１ｃを備えるガイド部材４０ｃ、舌片４５をなくして直線部の両端に円形小孔を形成したスリット４１ｄを備えるガイド部材４０ｄとすることも可能である。この場合、実施例１のガイド部材４０と、変形例のガイド部材４０ｃ，４０ｄにおけるブレーキ機能の大小関係は、図示の不等号の関係となる。
【００３８】
さらに、図５（Ｄ）に示す様に、直線部４３の両端から鉤状部４６，４６をなくしたガイド部材４０ｅ、内すぼまりに代えて平行で元部側に伸びる鉤状部４６ｆ，４６ｆにしたガイド部材４０ｆ、元部側に伸びる内すぼまりの鉤状部４６ｇ，４６ｇに変更したガイド部材４０ｇとすることもでき、この場合、鉤状部のないガイド部材４０ｅ、平行な鉤状部を有するガイド部材４０ｆ、内すぼまりの鉤状部を備えるガイド部材４０ｇ，４０において、どの形状のスリットの方が寸法公差を大きくすることができるかの関係を図中に不等号で示した。
【００３９】
これらガイド部材４０等は、元部４２が枠体１０の幅と同じ幅にされ、枠体１０からはみ出す部分の幅を拡大させた形状とすることで、帯状シール部材３０を挿通可能なスリットを備え、枠体１０の引き剥がし作業の際に指で摘み易く構成されている。
【００４０】
なお、図６に示す様に、仕切枠１２を備えない枠体１０ｂを用いることもできる。この場合は、枠体１０ｂの開口部をも覆う様な剥離紙２０ｂとするとよい。仕切枠１２が枠体１０の変形を防止する機能を剥離紙２０ｂに持たせることができるからである。なお、実施例１として詳述したトナー排出口封止部材１の剥離紙２０も、この開口部をも覆う様な剥離紙２０ｂとしておいても構わない。
【００４１】
また、素材としては、例えば、枠体１０としては、厚さ０．１〜０．２ｍｍのＰＥＴフィルムを芯に用いてその両面にアクリル系両面テープ又はゴム系両面テープを貼り付けることにより、表面及び裏面に粘着剤層を備えたものとして製造することができる。また、帯状シール部材３０には、厚さ０．０５〜０．１ｍｍのＰＥＴフィルムを、ガイド部材４０には、厚さ０．１〜０．３ｍｍのＰＥＴフィルムを用いるとよい。
【００４２】
以上、本発明の実施例を説明したが、本発明はこれらの実施形態に限定されるものではなく、その要旨を逸脱しない範囲内で種々に実施することができる。
【００４３】
例えば、素材は上述したものに限らない。また、リサイクル用としてだけでなく、新品用として本発明のトナー排出口封止構造を採用することもできる。
【産業上の利用可能性】
【００４４】
本発明は、プリンタ，コピー機，ファクシミリなどに使用されるトナーカートリッジにおいて利用することができる。
【符号の説明】
【００４５】
１・・・トナー排出口封止部材、２，２ａ，２ｂ・・・トナーカートリッジ、３・・・トナー排出口、３ａ・・・仕切、４・・・受け側部材、５・・・機器、１０，１０ｂ・・・枠体、１１・・・開口部、１２・・・仕切枠、１３・・・枠体の一端（右端）、１４・・・枠体の他端（左端）、１５・・・枠体の表面、１６・・・枠体の裏面、２０，２０ｂ・・・剥離紙、３０・・・帯状シール部材、３１・・・末端部、３２・・・折り返し部、３３・・・先端部、３３ａ・・・円弧状先端、４０，４０ｂ，４０ｃ，４０ｄ，４０ｅ，４０ｆ，４０ｇ・・・ガイド部材、４１，４１ｃ，４１ｄ・・・スリット、４２・・・元部、４３・・・直線部、４４・・・三角形状部、４４ｂ・・・１／２長円形状部、４５，４５ｂ・・・舌片、４６，４６ｆ，４６ｇ・・・る鉤状部、５０・・・封緘紙。
【図１】
2016020998.tif 000003
【図２】
2016020998.tif 000004
【図３】
2016020998.tif 000005
【図４】
2016020998.tif 000006
【図５】
2016020998.tif 000007
【図６】
2016020998.tif 000008
【図７】
2016020998.tif 000009